(57)【特許請求の範囲】
【請求項１】
第１の部分調節と第２の部分調節とを含むマイクロリソグラフィ投影露光装置を調節する方法であって、該第１の部分調節が、（ａ）第１の時間的調節持続時間ｔ1を指定する段階と、（ｂ）投影レンズの第１の収差ｂ1を確立する段階と、（ｃ）該第１の時間的調節持続時間ｔ1中に該第１の収差ｂ1を調節する段階とを含み、該第２の部分調節が、（ｄ）第２の時間的調節持続時間ｔ2を指定する段階と、（ｅ）該投影レンズの第２の収差ｂ2を確立する段階と、（ｆ）該第２の時間的調節持続時間ｔ2中に該第２の収差ｂ2を調節する段階とを含み、
（ｇ）ｔ1＜ｔ2であり、
（ｈ）ｂ1は、前記調節持続時間ｔ2中にｂ2よりも高速に変化する収差であり、
（ｉ）前記第１の部分調節は、前記第２の部分調節が実施される間に並行して実施され、
前記第１の収差ｂ1及び前記第２の収差ｂ2は、スカラー収差であり、該第１の収差ｂ1は、該第２の収差ｂ2よりも低い波形を有する、
ことを特徴とする方法。
【請求項２】
第１の部分調節と第２の部分調節とを含むマイクロリソグラフィ投影露光装置を調節する方法であって、該第１の部分調節が、（ａ）第１の時間的調節持続時間ｔ1を指定する段階と、（ｂ）投影レンズの第１の収差ｂ1を確立する段階と、（ｃ）該第１の時間的調節持続時間ｔ1中に該第１の収差ｂ1を調節する段階とを含み、該第２の部分調節が、（ｄ）第２の時間的調節持続時間ｔ2を指定する段階と、（ｅ）該投影レンズの第２の収差ｂ2を確立する段階と、（ｆ）該第２の時間的調節持続時間ｔ2中に該第２の収差ｂ2を調節する段階とを含み、
（ｇ）ｔ1＜ｔ2であり、
（ｈ）ｂ1は、前記調節持続時間ｔ2中にｂ2よりも高速に変化する収差であり、
（ｉ）前記第１の部分調節は、前記第２の部分調節が実施される間に並行して実施され、
前記第１の部分調節を実施する段階は、前記第２の部分調節が実施される間に繰り返し実施され、
前記第１の収差ｂ1及び前記第２の収差ｂ2は、スカラー収差であり、該第２の収差ｂ2の桁数が、該第１の収差ｂ1の桁数よりも大きくない、
ことを特徴とする方法。
【請求項３】
前記第１の部分調節を実施する段階は、前記第２の部分調節が実施される間に繰り返し実施される、
ことを特徴とする請求項１に記載の方法。
【請求項４】
ｔ1＜１００ミリ秒又はｔ1＜２０ミリ秒が適用され、ｔ2は、ｔ1よりも少なくとも２桁、より具体的には少なくとも３桁だけ大きい、
ことを特徴とする請求項２又は３に記載の方法。
【請求項５】
前記投影露光装置のマニピュレータのうちのより高速のマニピュレータのクラスからの１つ又はそれよりも多くのマニピュレータが、前記第１の部分調節中に使用され、該投影露光装置の該マニピュレータのうちのより低速のマニピュレータのクラスからの１つ又はそれよりも多くのマニピュレータが、前記第２の部分調節中に使用される、
ことを特徴とする請求項２から請求項４のいずれか１項に記載の方法。
【請求項６】
設計に関して同等のマニピュレータ、特に熱マニピュレータが、前記第１の部分調節中及び前記第２の部分調節中の両方に使用される、
ことを特徴とする請求項５に記載の方法。
【請求項７】
前記マニピュレータは、前記第１の部分調節中よりも前記第２の部分調節中により高い精度の設定を用いて使用される、
ことを特徴とする請求項６に記載の方法。
【請求項８】
第１のアルゴリズムが、前記第１の部分調節に対するマニピュレータ移動を決定するために使用され、第２のアルゴリズムが、前記第２の部分調節に対するマニピュレータ移動を決定するために使用され、該第１のアルゴリズムは、該第２のアルゴリズムよりも短い実行時間又は低い精度を有する、
ことを特徴とする請求項１から請求項７のいずれか１項に記載の方法。
【請求項９】
前記第１及び／又は前記第２の収差は、測定によって又は予測モデルからの予測によって確立される、
ことを特徴とする請求項１から請求項８のいずれか１項に記載の方法。
【発明の詳細な説明】
【技術分野】
【０００１】
本発明は、マイクロリソグラフィ投影露光装置を調節する方法に関する。
【背景技術】
【０００２】
マイクロリソグラフィのための投影露光装置は、一般的に、光源と、光源によって放出された光線を処理する照明系と、一般的にレチクル又はマスクと呼ぶ投影される物体と、物体視野を像視野上に結像する下記でレンズと略記する投影レンズと、投影がその上に行われる一般的にウェーハと呼ぶ更に別の物体とから構成される。レチクル又はレチクルの少なくとも一部は物体視野に置かれ、ウェーハ又はウェーハの少なくとも一部は像視野に置かれる。一般的に、レンズは、レンズに属する光学要素を配置する際に基準とする光軸を定める。一般的に、これらの光学要素は、この光軸に関して回転対称であり、光軸は、物体視野及び像視野に対して直角である。この場合に、レンズの設計は回転対称であると呼ばれる。
【０００３】
レチクルが完全に物体視野の領域に置かれ、かつウェーハがウェーハと像視野の間の相対移動なしに露光される場合に、この投影露光装置を一般的にウェーハステッパと呼ぶ。レチクルの一部しか物体視野の領域に置かれず、かつウェーハがウェーハと像視野の間の相対移動中に露光される場合に、この投影露光装置を一般的にウェーハスキャナと呼ぶ。ウェーハの露光中に、投影露光装置は、予め決められた開口数と、照明系によって予め決められた設定、例えば、完全にコヒーレント又は部分的にコヒーレントな設定、特に二重極設定又は四重極設定とを用いて作動される。開口数は、一般的にレンズの開口絞りによって定められる。マイクロリソグラフィレンズにおける従来の像側開口数は、０．５と０．６の間、０．６と０．７の間、０．７と０．８の間、又は０．８と０．９の間の値、又は他にそれよりも大きい値である。これらの像側開口数は、最後の光学媒質として約１．０の屈折率を有するガスを有するレンズに適用される。
【０００４】
レンズの最後の光学要素とウェーハの間の領域が媒質としての液体で充填される場合に、このレンズを液浸レンズと呼ぶ。考えられる液浸液は、約１．４３の屈折率を有する水である。この屈折率では、それに関する液浸レンズの像側開口数を決定するために、上記に指定した開口数を１．４３倍だけ高めなければならい。従って、液浸レンズでは、約０．７５から０．９、０．９から１．０５、１．０５から１．２、又は１．２から１．３５、又は他にそれよりも大きい像側開口数がもたらされる。
【０００５】
設定は、一般的に、アキシコン、絞り、又はマイクロミラーアレイ、又は１つ又はそれよりも多くの交換可能なＤＯＥ（回折光学要素）のような照明系の光学要素によって予め決定される。露光中には、物体視野に属する各視野点からの開口絞りによって切り込まれた最大光ビームが物体視野から像視野に到達する。収差がレンズの設計だけによって決定される理想的なレンズでは、視野点に属する像点の近くにおいてこの最大光ビームによって定められる波面は、像点を中心点とする球面波にほぼ対応する。従って、そのようなレンズの可能な分解能は、開口絞りを依然として通過するレチクルにおいて発生する回折の次数によって決定される。従って、そのようなレンズを回折限界レンズとも呼ぶ。
【０００６】
マイクロリソグラフィのためのそのようなレンズによって達成することができる可能な分解能Ｒは、次式のように開口数ＮＡに反比例し、レンズの動作波長λ及び処理パラメータｋ1に比例する。
0006016316.tif 000002
【０００７】
動作波長、すなわち、投影光の波長は、一般的に３６５ｎｍ、２４８ｎｍ、１９３ｎｍ、又は１３．５ｎｍである。１３．５ｎｍの場合に、レンズは反射のものであり、すなわち、ミラーのみから構成される。これらのミラーは真空中で作動され、真空を周囲の媒質とする場合に、開口数は、０．２から０．２５、０．２５から０．３、０．３から０．４、０．又は４から０．４５、又はそれよりも大きい。
【０００８】
更に別のタイプのマイクロリソグラフィレンズは、屈折結像レンズ、すなわち、屈折レンズ要素のみから構成されるレンズ、及び反射屈折レンズ、すなわち、レンズ要素とミラーから構成されるレンズである。反射屈折レンズは、回転対称設計の場合に光軸を含まない使用可能物体視野を有することができる。この場合に、この設計を軸外設計と呼ぶ。これは、例えば、いわゆるＲＣＲ設計の場合であり、すなわち、投影レンズは、物体視野を第１の中間像上に結像する第１の屈折結像部分レンズ、第１の中間像を第２の中間像上に結像する反射屈折部分レンズ、及び第２の中間像を像視野上に結像する第２の屈折結像部分レンズという３つの部分レンズに再分割される。反射屈折部分レンズは、投影光の伝播方向の反転に起因して一般的に光軸が物体視野と交わるのを防止する少なくとも１つのミラーを含む。これから、軸外という表現の由来を見ることができる。しかし、物体視野が光軸から過度に遠く、それによって十分に良好な収差補正が困難になることのないように、反射屈折部分レンズ内の２つの中間像の近くに折り返しミラーが置かれる、ＷＯ２００４０１９１２８Ａ２を参照されたい。
【０００９】
動作波長での光で投影露光装置を作動させる場合に、投影露光装置のレンズに属する光学要素に変化がもたらされ、それによってレンズの光学特性に部分的に不可逆の変化が引き起こされる。本明細書に例示的に列挙するものは、光学要素の可能なコーティングにおける圧密化、希薄化、及び化学的に引き起こされる変化である。光学要素のそれらのマウント内でのドリフトによって更に別の不可逆変化が発生し、この変化は時間が長くなる時に進行する。レンズの光学特性における他の変化、例えば、レンズ要素の加熱と、それに関連付けられたレンズ要素の形状変化、及びレンズ要素の屈折率分布の変化の事例のようなものは可逆性のものである。これらの変化は、レンズの光学特性において時間依存及び空間依存の変化を導く。
【００１０】
従って、マイクロリソグラフィレンズは、その開発の途上で益々多くの操作オプションによって相補されている。これらの操作オプションは、レンズの光学特性の変化を相殺するために使用することができる。この目的を実現するために、レンズに属するレンズ要素、ミラー、又は回折光学要素のような１つ又はそれよりも多くの光学要素を変位、回転、交換、変形、加熱、又は冷却するマニピュレータが使用される。交換の場合に、非球面化平面板が、レンズ内に交換要素として与えられる。交換要素は、レンズのマニピュレータが設けられた光学要素とすることができる。これらの光学要素は、好ましくは、光伝播方向に見てレンズの最初の光学要素及び最後の光学要素のうちの１つ又はそれよりも多く、レンズの中間像の近くに置かれた光学要素のうちの１つ又はそれよりも多く、又はレンズの瞳平面の近くに置かれた光学要素のうちの１つ又はそれよりも多くである。この場合に、近いという表現は、いわゆる部分口径比を用いて定められる。この点に関しては、引用によって全文が本出願に組み込まれているＷＯ２００８０３４６３６Ａ２を参照されたい。特にこの引用文献の４１ページ及び４２ページの全文が本出願に組み込まれている。
【００１１】
更に、例えば、ＷＯ２００８０３７４９６Ａ２は、マニピュレータを用いて複数の力及び／又はトルクによる影響を及ぼし、それによって形状に関して高い局所変動性が得られるようにする光学要素を含むマイクロリソグラフィのためのレンズを開示している。
【００１２】
光学要素を変形するマニピュレータは、特にその高速な応答挙動によって区別される。Ｒ．Ｋ．Ｔｙｓｏｎ著「適応光学系の原理（Ｐｒｉｎｃｉｐｌｅｓ  ｏｆ  Ａｄａｐｔｉｖｅ  Ｏｐｔｉｃｓ）」、Ａｃａｄｅｍｉｃ  Ｐｒｅｓｓ，Ｉｎｃ．、ＩＳＢＮ  ０．１２．７０５９００−８は、望遠鏡のミラーのための高速応答マニピュレータの概要紹介を提供している。そのようなタイプのマニピュレータは、マイクロリソグラフィのためのレンズ内でも使用される。
【００１３】
更に、例えば、ＷＯ２００８０３４６３６Ａ２は、マイクロリソグラフィのためのレンズ内の平面板を開示している。電流を印加することができる導体トラックが、この平面板内又はその上に置かれる。それによって引き起こされる温度変化中に、平面板の屈折率に局所的に影響を及ぼすことができ、従って、平面板は、その屈折率に関して高い局所変動性を有する。
【００１４】
更に、例えば、ＷＯ２００９０２６９７０Ａ１では、ＷＯ２００８０３４６３６Ａ２からの平面板に、この板の空間平均温度を時間と共に一定に保つことを可能にするヒートシンクが設けられる。
【００１５】
更に、例えば、ＥＰ８５１３０５Ｂ１は、マイクロリソグラフィのためのレンズ内の平面板対、いわゆるアルバレス板を開示している。このアルバレス板対は、互いに対面するアルバレス板の面上にそれぞれ１つの非球面レンズ要素を有し、これらの非球面レンズ要素は、互いに対するアルバレス板の相対ゼロ位置において光学効果に関して他方のものを補償する。一方のアルバレス板又は両方のアルバレス板が、レンズの光軸と垂直に互いに相対的に撓んだ場合に、補償効果及びマニピュレータとしてのこれらのアルバレス板セットの光学効果はもはや存在しない。
【００１６】
更に、例えば、ＥＰ１６７００４１Ａ１は、特に、マイクロリソグラフィのためのレンズ内に二重極照明の吸収によって導入される収差を補償するように機能するデバイスを開示している。二重極照明の場合に、レンズの瞳平面に置かれた光学要素が非回転対称な加熱を受ける。この光学要素は、好ましくは、動作波長のものとは異なる波長を有する光をこの加熱に関して少なくとも近似的に相補的な方式で放出する２次光源からの追加の光に露光される。それによって望ましくない収差が補償されるか、又はこれらの収差が少なくとも低減されるか、又はこれらの収差が、それとは質的に異なる収差に変換される。この場合に、これらの収差のゼルニケ多項式としての級数展開のゼロとは大きく異なる係数インデックスが対毎に異なる場合に、第１の収差は、第２の収差とは質的に異なると理解しなければならない。上述の級数展開の実質的に１つのインデックスしかゼロとは大きく異ならない場合に、収差をスカラー収差と呼ぶ。ゼルニケ多項式としての収差の級数展開に関しては、ＤＥ１０２００８０４２３５６Ａ１及びＤＥ１０２００４０３５５９５Ａ１を参照されたい。
【００１７】
更に、例えば、ＤＥ１９８２７６０２Ａ１では、ペルチェ要素を用いて、光学要素に対してその円周にわたって加熱又は冷却の作用が与えられる。
【００１８】
例示的に上記に挙げた方式でレンズの光学要素に対してマニピュレータが影響を及ぼす操作オプションが装備されたマイクロリソグラフィのためのそのようなレンズは、その作動中に上述の変化を相殺することができるように操作することができる。
【００１９】
そのような操作を調節と呼ぶ。投影レンズは、製造された後に最初の調節を受ける。この調節は、後にリソグラフィ製造を行うべき場所に投影レンズを配送した後に製造に向けて投影レンズを使用することができるように、すなわち、投影レンズの収差レベルが予め決められた仕様を下回った状態になるように繰り返される。
【００２０】
作動中かつ部分的には個々の露光処理中であっても、投影レンズは、異なる個数のマニピュレータを用いて繰り返し調節を受け、それによって投影レンズの収差レベルが仕様を下回った状態に留まり続けることが確実にされる。これらの繰り返しの調節がなければ、例えば、圧密化、希薄化、コーティングの劣化、光学要素のドリフト、光学要素の加熱のような上述の効果に起因して、投影レンズの収差レベルは、投影露光装置の結像品質を確実にする仕様よりも大きいことになるであろう。この仕様は、例えば、ＤＥ１０２００８０４２３５６Ａ１に記載されているように、調節なしでは再度直ぐに超過されることが推測されるので、一般的にこれらの繰り返しの調節を非常に高速に実施しなければならない。この高速調節を行う上で、１秒又は数ミリ秒よりも短い最大調節時間は、ことの外短いわけではない。この場合及び以下では、調節時間は、仕様から外れた投影レンズの収差が存在することが既知である場合に投影レンズの光学要素を操作することによってこの収差を仕様の範囲に戻すために与えられる期間を意味するものと理解しなければならない。この期間は、一般的に個々のマニピュレータ撓みを決定する段階（数値問題を解いて）、及びマニピュレータを撓ませる段階を含む。この点に関しては、再度ＤＥ１０２００８０４２３５６Ａ１を参照されたい。比較的高速に実施されるそのような調節は、この調節をそれと比較して比較的低速な調節から区別する一部の境界条件を必要とする。一例として、これらの境界条件は、マニピュレータ範囲及び／又はマニピュレータ自由度である。一例として、熱マニピュレータは、その平衡状態（同義的に定常状態）に到達するのに、光学要素の位置を変更するマニピュレータよりも長い時間を必要とする。マニピュレータ撓みを確立するための逆問題を解くために利用可能な計算時間から更に別の制約が発生する可能性がある。逆問題の高速な求解は、必然的に解の精度の低下をもたらす。この点に関しても再度ＤＥ１０２００８０４２３５６Ａ１を参照されたい。
【００２１】
この場合に、上述の高速な調節又は短い最大調節時間は、それと比較して低速なマニピュレータを適正に撓ませることさえ可能ではないという効果を有する。言い換えれば、低速マニピュレータは、その純粋に設計依存の最大撓みにも、及びその全ての設計依存の自由度にも達することができない。その欠点は、投影露光装置が長期的に仕様から外れて、例えば、光学要素を交換することに関して発生するような低速調節の範囲のある程度の時間にわたって投影露光装置がリソグラフィ製造に利用不能になる点である。この欠点は、明らかな経済的欠点を有する。最悪の場合のシナリオでは、明確にこの欠点の理由から、比較的低速なマニピュレータは、投影露光装置内への設置に向けてもはや準備さえされることはなく、その頻繁な運転休止期間は回避不能と考えられる。
【先行技術文献】
【特許文献】
【００２２】
【特許文献１】ＷＯ２００４０１９１２８Ａ２
【特許文献２】ＷＯ２００８０３４６３６Ａ２
【特許文献３】ＷＯ２００８０３７４９６Ａ２
【特許文献４】ＷＯ２００９０２６９７０Ａ１
【特許文献５】ＥＰ８５１３０５Ｂ１
【特許文献６】ＥＰ１６７００４１Ａ１
【特許文献７】ＤＥ１０２００８０４２３５６Ａ１
【特許文献８】ＤＥ１０２００４０３５５９５Ａ１
【特許文献９】ＤＥ１９８２７６０２Ａ１
【特許文献１０】ＤＥ１０２００７０５８１５８Ａ１
【特許文献１１】ＷＯ０９０８０２７９Ａ１
【非特許文献】
【００２３】
【非特許文献１】Ｒ．Ｋ．Ｔｙｓｏｎ著「適応光学系の原理（Ｐｒｉｎｃｉｐｌｅｓ  ｏｆ  Ａｄａｐｔｉｖｅ  Ｏｐｔｉｃｓ）」、Ａｃａｄｅｍｉｃ  Ｐｒｅｓｓ，Ｉｎｃ．、ＩＳＢＮ  ０．１２．７０５９００−８
【非特許文献２】Ｈｅｒｂｅｒｔ  Ｇｒｏｓｓ編集「技術光学の基礎、第１巻（Ｖｏｌ．１：Ｆｕｎｄａｍｅｎｔａｌｓ  ｏｆ  Ｔｅｃｈｎｉｃａｌ  Ｏｐｔｉｃｓ）」、Ｗｉｌｅｙ、２００５年
【非特許文献３】Ｍｉｚｕｎｏｉ他著「光源−マスク最適化のための照明光学系（Ｉｌｌｕｍｉｎａｔｉｏｎ  Ｏｐｔｉｃｓ  ｆｏｒ  Ｓｏｕｒｃｅ−Ｍａｓｋ  Ｏｐｔｉｍｉｚａｔｉｏｎ）」、Ｎｉｋｏｎ  Ｃｏｒｐ．、〒３６０−８５５９埼玉県熊谷市御稜威ケ原２０１−９
【発明の概要】
【発明が解決しようとする課題】
【００２４】
従って、これらの運転休止期間の頻度を低減する改善された調節概念に対する必要性が存在する。
【課題を解決するための手段】
【００２５】
収差、例えば、レンズの光学要素の加熱によって引き起こされる収差を以下の２つのクラスに再分割することができることが見出されている。
【００２６】
持続時間ｔ及び閾値ｐであって、リソグラフィ処理に関する収差の少なくとも一部のものをｔ及びｐに依存する２つのクラス、すなわち、収差の将来のサイズが現在のサイズに関係なく持続時間ｔの後に無視することができない値だけ増大することによって区別される第１の収差クラスと、閾値ｐに到達した後に、各更に別の持続時間後に無視することができる値だけしか増大しない第２の収差クラスとに再分割することを可能にする持続時間ｔ及び閾値ｐを指定することができる。この場合に、「無視することができる」は、持続時間ｔ中に、投影レンズが、予め決められた仕様の範囲に留まるか、又は調節なしでも少なくとも持続時間ｔ以内ではこの仕様をそのごく僅かな分量だけしか超過せず、そのような超過の場合が、リソグラフィ処理中に限って不合格品を引き起こさないかのいずれかであることが事前に既知であることを意味する。
【００２７】
従って、これらの２つの収差クラスを時間的に並行して調節するが、それらの時間的仕様に関して互いに独立して調節する調節方法を提案する。本提案の調節方法は、２つの部分調節を含み、これらは、逆に、それ自体の調節であるが、明瞭化の理由から部分調節と呼ぶ。
【００２８】
本発明を以下に続く陳述に基づいて説明する。
【００２９】
陳述１。第１の部分調節と第２の部分調節を含むマイクロリソグラフィ投影露光装置を調節する方法。第１の部分調節は、（ａ）第１の時間調節持続時間ｔ1を指定する段階と、（ｂ）投影レンズの第１の収差ｂ1を確立する段階と、（ｃ）第１の時間的調節持続時間ｔ1中に第１の収差ｂ1を調節する段階とを含み。第２の部分調節は、（ｄ）第２の時間的調節持続時間ｔ2を指定する段階と、（ｅ）投影レンズの第２の収差ｂ2を確立する段階と、（ｆ）第２の時間的調節持続時間ｔ2中に第２の収差ｂ2を調節する段階とを含み、（ｇ）ｔ1＜ｔ2であり、（ｈ）ｂ1は、調節持続時間ｔ2中にｂ2よりも高速に変化する収差であり、（ｉ）第１の部分調節は、第２の部分調節が実施される間に並行して実施されることを特徴とする。
【００３０】
陳述１に記載の方法により、投影露光装置の２つの収差が時間的に並行して調節される。調節される２つの収差ｂ1及びｂ2は、これらの収差が変化する速度に従って調節され、高速に変化する収差は、第２の部分調節中に調節される低速に変化する収差よりも高速にかつ第１の部分調節中に調節される。「高速」及び「低速」は、この場合と下記の両方において、互いに相対的なものであると理解しなければならない。低速に変化する収差の低速調節機能に対する高速に変化する収差のこの高速調節機能は、高速マニピュレータを使用する介入するマニピュレータの最適な撓みを確立することにおける計算精度を下げるか、又は使用するマニピュレータをその自由度の全てのものにおいて撓ませないという様々な手法で得ることができる。この場合に、これらの３つのタイプの組合せを使用することができる。マニピュレータのそのような「分離」の結果として、２つの収差を有利に並行して調節することができ、又は例えば調節時間ｔ1が十分ではないことが推測されることで陳述１に記載の方法なしでは調節することが全くできないことが推測される収差ｂ2を調節することができる。言い換えれば、単に長い調節持続時間ｔ2に対する緩和は、収差ｂ2の調節さえも、又はマニピュレータの使用又はその自由度のうちの１つの使用さえも可能にする。
【００３１】
陳述２。第２の部分調節が実施される間の第１の部分調節の繰り返し実施段階を特徴とする陳述１に記載の方法。
【００３２】
陳述２に記載の方法は、第１の部分調節後に収差ｂ1が再度成長する場合に、この収差を再調節することを可能にする。この処理では、第２の部分調節は影響を受けない。
【００３３】
陳述３。ｔ1＜１００ミリ秒又はｔ1＜２０ミリ秒が成り立ち、ｔ2が、ｔ1よりも少なくとも２桁、より具体的には少なくとも３桁だけ大きいことを特徴とする陳述２に記載の方法。
【００３４】
陳述３に記載の方法は、第１の部分調節に対して３桁だけ長い調節持続時間を第２の部分調節に対して可能にする。それによって第２の部分調節に対して利用されるマニピュレータを大きく最適性の高い方式で撓ませることができ、これらのマニピュレータの設計によってマニピュレータ内により高い自由度が存在する場合に、この高い自由度に対処することができることを確実にする。
【００３５】
陳述４。第１の収差ｂ1及び第２の収差ｂ2がスカラー収差であり、第２の収差ｂ2の桁数が、第１の収差ｂ1の桁数よりも大きくないことを特徴とする陳述２及び陳述３に記載の方法。
【００３６】
更に、低速変化収差の桁数が、高速変化収差の桁数よりも大きくないか、又はそれよりも小さくさえある場合に、第１の部分調節の場合におけるものよりも小さい範囲を有するマニピュレータを第２の部分調節に対して使用することができる。
【００３７】
陳述５。第１の収差ｂ1及び第２の収差ｂ2がスカラー収差であり、第１の収差ｂ1が、第２の収差ｂ2よりも低い波形を有することを特徴とする陳述１から陳述４のいずれか１項に記載の方法。
【００３８】
光学要素を加熱することによって引き起こされる収差の場合に、低い波形を有するそのような収差は、主として高速変化収差の中に見られる。従って、低い波形を有する収差を主として第１の部分調節によって調節し、高い波形を有するものを第２の部分調節によって調節することが有利である。波形の定義に対しては下記を参照されたい。
【００３９】
陳述６。投影露光装置のマニピュレータのうちの高速マニピュレータのクラスからの１つ又はそれよりも多くのマニピュレータが、第１の部分調節中に使用され、投影露光装置のマニピュレータのうちの低速マニピュレータのクラスからの１つ又はそれよりも多くのマニピュレータが、第２の部分調節中に使用されることを特徴とする陳述２から陳述５のいずれか１項に記載の方法。
【００４０】
比較的低速なマニピュレータと比較的高速なマニピュレータへの投影露光装置のマニピュレータ選択の再分割は、この場合に、陳述１に記載の利用可能な調節時間ｔ2及びｔ1に従う。この再分割の結果として、介入するマニピュレータの範囲及び自由度は、そのような分類を用いない場合に推測されるものよりも改善された方式で有利に使用される。
【００４１】
陳述７。第１の部分調節中と第２の部分調節中の両方において、設計に関して同等のマニピュレータ、特に熱マニピュレータが使用されることを特徴とする陳述６に記載の方法。
【００４２】
熱マニピュレータは、作動に依存して収差の調節を比較的低速又は比較的高速にもたらすことができる。従って、異なる作動により、そのようなマニピュレータを両方の部分調節に対して使用することができる。
【００４３】
陳述８。マニピュレータが第１の部分調節中よりも第２の部分調節中に高い精度設定に使用されることを特徴とする陳述７に記載の方法。
【００４４】
陳述８に記載の熱マニピュレータは、第２の部分調節のためのマニピュレータとしての割り当ての場合に、第１の部分調節に割り当てられる場合よりも長い利用可能な調節時間ｔ2を有する。従って、この熱マニピュレータは、第２の部分調節にかかわる場合により高い精度設定で作動させることができ、収差ｂ2の改善された調節が可能になる。この場合に、精度設定は、マニピュレータ撓みを計算するのに使用されるアルゴリズムの精度を意味すると理解しなければならない。この場合に、アルゴリズムの精度は、事前の誤差推定によって設定される。
【００４５】
陳述９。第１の部分調節に対するマニピュレータ移動を決定するために第１のアルゴリズムが使用され、第２の部分調節に対するマニピュレータ移動を決定するために第２のアルゴリズムが使用され、第１のアルゴリズムが、高い精度を有する第２のアルゴリズムよりも短い実行時間又は低い精度を有することを特徴とする陳述１から陳述８のいずれか１項に記載の方法。
【００４６】
第２の部分調節に対して利用可能な長い調節持続時間ｔ2は、より正確なアルゴリズムの使用をその実行時間を考慮に入れる必要なく可能にする。その結果、陳述８の場合と同様に、第２の部分調節中に高い精度設定を得ることができる。精度設定に関係なく、可能性として、第２の部分調節は、第２の収差ｂ2に対する第１の部分調節の適用によって可能になると推測されるものよりも大きい第２の収差ｂ2の低減を提供することができる。一例として、模擬アニーリング及び進化（例えば、遺伝的）アルゴリズムのようなＤＥ１０２００８０４２３５６Ａ１に言及されているアルゴリズムを参照されたい。これらのアルゴリズムは、高い精度を有するアルゴリズムの例である。
【００４７】
陳述１０。第１及び／又は第２の収差が測定によるか又は予測モデルからの予測によって確立されることを特徴とする陳述１から陳述９のいずれか１項に記載の方法。
【００４８】
収差ｂ1及びｂ2が、第２の部分調節の間隔でしか測定されない場合に、この第１の収差は、第１の部分調節とこの収差の高速変動性の結果との両方に起因して変化してしまっているので、第１の部分調節の終了後の第１の収差ｂ1の発達を陳述１０に記載の予測によって補正することができる。収差ｂ1が、第１の部分調節の間隔で測定される場合に、第２の収差の発達を予測モデルによってモデル化することが有利である。その結果、第２の収差が発達してしまっている可能性が最も高い値に第２の収差を適応させることができ、それに応じて第２の部分調節を編成することができる。
【図面の簡単な説明】
【００４９】
【図１】様々な収差の時間的挙動を示す図である。
【図２】マニピュレータと調節時間の１つの割り当てを示す図である。
【図３ａ】比較的高速及び比較的低速な熱マニピュレータの説明を示す図である。
【図３ｂ】比較的高速及び比較的低速な熱マニピュレータの説明を示す図である。
【図３ｃ】比較的高速及び比較的低速な熱マニピュレータの説明を示す図である。
【図３ｄ】比較的高速及び比較的低速な熱マニピュレータの説明を示す図である。
【図４ａ−ｃ】図４ａ〜ｃは、比較的高速なマニピュレータと比較的低速なマニピュレータへの再分割を示す図である。
【図５】並行する第１の部分調節と第２の部分調節に対する調整ユニットを有するレンズを示す図である。
【図６】並行する第１の部分調節と第２の部分調節の流れ図である。
【発明を実施するための形態】
【００５０】
図１は、投影光の吸収の結果としてレンズの光学要素が受ける加熱によって生成された一部の収差の典型的な時間プロファイルを示している。レンズは、走査作動に向けて設計され、走査方向に対して直角に２５ｍｍの広がりの像視野を有する反射屈折レンズである。３つのゼルニケ係数Ｚ５、Ｚ１２、及びＺ２１に関する時間的収差プロファイルを比較し、ゼルニケ係数の定義に対してはＤＥ１０２００８０４２３５６Ａ１及びＤＥ１０２００４０３５５９５Ａ１を参照されたい。図示の３つの行内の３つのゼルニケ係数は、Ｚ５からＺ２１に増大する２次、４次、及び６次の（半径方向）波形Ｒ、並びに２次の一定の方位角方向の波形θを有する３つの非点収差項であり、この場合（Ｒ，θ）は、正規化瞳座標である。より正確には、
0006016316.tif 000003
0006016316.tif 000004
0006016316.tif 000005
である。５つのものがそれぞれ一行に置かれた図は、走査方向に対して直角に等距離配分された５つの視野点への再分割に対応する。
【００５１】
ゼルニケ多項式及びその係数の一般的な定義は、Ｈｅｒｂｅｒｔ  Ｇｒｏｓｓ編集「技術光学の基礎、第１巻（Ｖｏｌ．１：Ｆｕｎｄａｍｅｎｔａｌｓ  ｏｆ  Ｔｅｃｈｎｉｃａｌ  Ｏｐｔｉｃｓ）」、Ｗｉｌｅｙ、２００５年から引用することができる。各ゼルニケ多項式ｐは、半径方向引数ｒと方位角方向引数φとに依存し、多項式である半径方向係数ｐ1と、三角多項式である方位角方向係数ｐ2とから構成される積ｐ（ｒ，φ）＝ｐ1（ｒ）・ｐ2（φ）によって与えられる。両方の多項式は、それぞれ半径方向引数ｒと方位角方向引数φとにしか依存しない。ゼルニケ多項式の半径方向波形及び方位角方向波形は、半径方向係数ｐ1の多項式次数及び方位角方向係数ｐ2の多項式次数それぞれによって与えられる。ゼルニケ多項式ｐは、ｐの半径方向係数がｑの半径方向係数よりも高い多項式次数を有する場合に、ゼルニケ多項式ｑよりも高い半径方向波形を有すると呼ばれる。ゼルニケ多項式ｐは、ｐの方位角方向係数がｑの方位角方向係数よりも高い多項式次数を有する場合に、ゼルニケ多項式ｑよりも高い方位角方向波形を有すると呼ばれる。ゼルニケ多項式ｐは、ｐがｑよりも高い半径方向波形を有し、ｑの方位角方向波形がｐのものよりも大きくないか、又はｐがｑよりも高い方位角方向波形を有し、ｑの半径方向波形がｐのものよりも大きくない場合に、ゼルニケ多項式ｑよりも高い波形を有すると呼ばれる。
【００５２】
それぞれの個々の図は、像視野の関連の視野点での対応するゼルニケ係数の時間的発展を示している。２つの異なる投影レンズに対して、それぞれ１つのシミュレーション値及び１つの測定値が示されている。図１は、各画像内に５つの異なるレンズからの５つの測定プロファイルを示している。
【００５３】
横座標は、秒を単位としてプロットしたものであり、縦座標は、ナノメートルを単位としてプロットしたものである。これらの関数値は、ＤＥ１０２００８０４２３５６Ａ１及びＤＥ１０２００４０３５５９５Ａ１に例示されているゼルニケ多項式に従う球面波からの波面偏位の級数展開において対応するゼルニケ係数の振幅（又は同義的に値）に対応する。
【００５４】
すなわち、例えば、先頭行内の最初の図は、最外側左手視野縁部における収差Ｚ５の時間的発展を示している。負荷印加の場合は、１９３ナノメートルの動作波長の投影光、３５°のＹ−二重極設定、及び０．７〜０．９のシグマイン対シグマアウト比における投影レンズの作動である。最初の約１８００秒内では、ゼロ点として定められる初期値の振幅は、約２５ｎｍの振幅まで平方根関数状に増大する。投影光による作動は、この１８００秒の後に終了し、光学要素は再度クールダウンし、それによって振幅の減衰がもたらされる。
【００５５】
先頭行からは、Ｚ５の挙動が着目視野点には比較的依存しないことを推察することができる。
【００５６】
図１の第２、次いで第３の行における収差に注意すると、時間的発展が着目視野点にほぼ依存しないことが同じく見られる。しかし、増大（絶対値に関しての）の形状はそれ程急勾配ではなく、最終的に小さい振幅（絶対値に関しての）で急速に飽和に遷移する。
【００５７】
一般的に、例えば、Ｚ２１のような高い（半径方向）波形を有する収差又はゼルニケ係数は、例えば、Ｚ５のような低い（半径方向）波形を有する収差と比較して相対的に低い振幅（絶対値に関しての）の挙動と飽和により急速に到達する挙動とを示すと判断することができる。
【００５８】
投影露光装置を作動させる範囲で、投影光でレンズを作動させる期間及びそれに関連付けられた加熱と、投影光でレンズを作動させることのない期間及びそれに関連付けられた冷却との間で比較が行われた場合に、この比は１よりも有意に大きい。従って、一般的に、３つ全ての収差Ｚ５、Ｚ１２、及びＺ２１において、ある時間量の後には収差の振幅が有意に成長してしまっているので、調節なしてはレンズが仕様から外れることになるということができる。
【００５９】
一般的に、そのような仕様は、上述の３つのゼルニケ係数Ｚ５、Ｚ１２、Ｚ２１のような収差に対する上限によって与えられる。従って、そのような調節は、繰り返すように指定され、繰り返しは、高い頻度を有するように指定される。この点に関してはＤＥ１０２００８０４２３５６Ａ１を参照されたい。この場合に、利用可能な調節時間は、数秒から数ミリ秒とすることができる。予め決定される調節頻度は、最速成長収差によって設定される。図１ではＺ５である。こうして予め決定されるこの頻度の観点から、例えば、Ｚ２１のような（半径方向）高次収差は、仕様に対する初期の強い増大と、それに続く無視することができる成長とを合わせた挙動を示している。Ｚ２１のような収差は、言わばこの挙動で変化する。
【００６０】
従って、仕様から外れるという恐れを絶え間なく示すので、収差Ｚ５が各調節サイクルにおいて調節されることになる。最初に、同じく収差Ｚ２１も、収差Ｚ５と同じ頻度又は同じ程度の頻度で調節しなければならなくなる。しかし、約１００秒後に、Ｚ２１の振幅の成長は非常に小さく、この成長は、仕様の範囲に留まる。その後に、Ｚ５と対比してみると、収差Ｚ２１は低速変化収差になる。
【００６１】
従って、一般的に、収差は、互いに相対的に定められ、高速変化収差及び低速変化収差という２つのクラスに分割することができる。この再分割は、時間に関して、かつ予め決められた最大調節時間に関して変化する可能性がある。一例として、収差Ｚ１２の分類は、これらの２つのパラメータ及び予め決められた仕様に明確に依存する。
【００６２】
ここで、この異なる収差成長挙動は、高頻度で同じ調節概念が常に使用される場合に、低速変化収差のクラスが、その振幅が仕様を破る恐れを示すまで長期にわたって調節アルゴリズムによって殆ど無視されることになるという問題をもたらす。従って、そのような状況では、予め決められた調節アルゴリズムは、予め決められた時に非常に短いその最大調節時間の範囲で、高速変化収差Ｚ５に加えて、もはや仕様から外れた低速変化収差Ｚ２１も調節することが強いられる。一般的に、調節アルゴリズムは、全ての誤差に同時に対処する。しかし、ここでもまた比較的高速に変化するＺ５がしばらくの間優勢である場合に、調節は、収差Ｚ２１を無視し続ける可能性がある。一方の問題は、特に（半径方向）高次ゼルニケ係数が高速調節を受け入れないことである。次いで、これに対して以下に説明する。
【００６３】
投影露光装置、特にレンズの光学要素の冒頭に示した操作オプションも、同じくクラスに再分割することができる。
【００６４】
図２は、マニピュレータタイプの例示的な選択を用いたそのようなクラス再分割を示している。１００ミリ秒の調節時間では、投影レンズの光学要素を投影レンズの他の光学要素に対して変位させるマニピュレータを一般的に使用することができる。そのような変位マニピュレータの作動に基づいて、１０ミリ秒の調節時間を得ることができる。しかし、これは、一般的に、マニピュレータの撓み精度に損失を与えるか、又は精度に対して可能なマニピュレータ撓みに損失を与える。従って、１００ミリ秒の場合は依然として制御ループを使用することができるが、１０ミリ秒の場合は純粋な制御に依存する。すなわち、変位マニピュレータは、その閉ループ制御又は開ループ制御に基づいて、同じ設計を有しながら異なる最大調節時間を満たすことができる。
【００６５】
ＥＰ８５１３０５Ｂ１に示されているアルバレスマニピュレータは、１００ミリ秒の調節時間の範囲で撓ませることができる。しかし、アルバレスマニピュレータの板対を交換しなければならない場合は（例えば、ＤＥ１０２００７０５８１５８Ａ１を参照されたい）、１００秒の調節時間を必要とする可能性がある。従って、そのようなアルバレスマニピュレータも同じく２つのクラス、すなわち、アルバレスマニピュレータを高速に撓ませることができ、このマニピュレータが、互いに対する２つの板の相対位置によって与えられる１つの自由度を有する第１のクラスと、アルバレスマニピュレータの板対が代替対と交換され、その後にこの代替対がその部分に対して撓む第２のクラスという２つのクラスに分類することができる。第１のクラスでは、アルバレスマニピュレータは１つの自由度を有し、第２のクラスでは、交換に利用可能な板対が存在することで多数の自由度を有する。
【００６６】
そのようなアルバレスマニピュレータには、ユーザの要求に従ってまだ製造されていない板対を設けることができる（カスタム化）。この場合に、数日の調節時間が必要である。この場合に、そのようなカスタム化の自由度は、投影レンズ内のアルバレスマニピュレータの位置だけによって決定される。
【００６７】
図３ａ〜図３ｄは、ＷＯ２００９０２６９７０Ａ１に記載されている熱マニピュレータの時間的挙動を記載している。この熱マニピュレータは、それぞれ１から１６までの番号及びＲ１からＲ１６までの番号が振られた水平方向及び垂直方向のワイヤ（１）が行き渡る平面板（２）である。これらのワイヤには抵抗密度が適用され、ワイヤは、その端部（３）において異なる電圧で作動させることができる。光学効果は、温度変化に関連付けられた平面板の屈折率の局所変化によって引き起こされる。この熱マニピュレータのゼロ撓みを設定することができるように、熱マニピュレータには、例えば、連続冷却空気流のようなヒートシンクが設けられる。この図には、このヒートシンクを示していない。
【００６８】
図３ａ〜図３ｄは、投影光が平面板を通過する方向から平面板を示している。
【００６９】
例示を簡略化するために、この図では、図示のピクセルの各個々のものの熱作動を他のものから切り離してアドレス可能なという仮定を行い、それを示している。
【００７０】
図３ａは、座標［５，１２］×［Ｒ５，Ｒ１２］におけるピクセル（４）の一定の連続的な熱作動の１秒後の板内の温度分布を示している。この図に示すのは、各場合のピクセルが共通の温度を有する内側領域及び外側領域、並びにそれと比較して幅狭の温度勾配を有する中間領域である。
【００７１】
図３ｂは、同じ作動において、約５秒後に到達する平衡状態を示している。平面板の内側領域内の温度は変化しないままに留まっており、温度勾配を有する外側領域は幅広になっているが、熱作動が変化しないままに留まる限り、それ以上変化しないことになる。全体的に、平衡状態では、熱によって作動されたピクセル（４）によって追加される量と同量の熱が平面板（２）全体から放散する。
【００７２】
図３ｃ及び図３ｄは、今度は座標［５，６］×［Ｒ５，Ｒ６］における個々のピクセル（５）が、その隣接ピクセルと比較して異なる熱作動を受けるように熱作動が選択される場合の挙動を示している。
【００７３】
小さい領域内の平面板（２）の屈折率変化は、温度変化に厳密に単調に依存するので、低い温度差における平面板（２）の温度差が、波面の位相誤差に比例することを見ることができる。従って、図３ｂに従って到達可能な平衡状態を熱マニピュレータの第１のマニピュレータ自由度と考えることができ、図３ｄに従って到達可能な平衡状態をこの熱マニピュレータの第２のマニピュレータ自由度と考えることができる。
【００７４】
５秒又はそれよりも長い調節時間が計画される場合に、この熱マニピュレータは、図３ｂ及び図３ｄに対応する自由度を有する。
【００７５】
しかし、例えば、最大で１秒の調節時間が計画される場合に、図３ｄに記載の自由度を得ることができない。対照すると、図３ａと図３ｂの間の温度差は質的に比較的軽微であるように見え、対応する位相差は許容されがちであり、１秒の調節時間では図３ｂに記載の自由度がこの熱マニピュレータに属すると見なされる傾向がある。量的には、この最初に質的である観点は、温度変化を受けるピクセルの面積に対する一定温度を有するピクセルの面積の比が、図３ｃ及び図３ｄの場合よりも図３ａ及び図３ｂの場合には有意に低いことによって表される。
【００７６】
熱による平面板（２）の小さい領域の作動は、一般的に、対応する位相誤差の高い波形をもたらす。
【００７７】
従って、熱マニピュレータは、２つのクラス、すなわち、マニピュレータが低い波形を有する波面変化を引き起こさなければならない場合の比較的高速なマニピュレータのクラスと、マニピュレータがこれに加えて高い波形を有する波面変化を引き起こさなければならない場合の比較的低速なマニピュレータのクラスとに属するということができる。
【００７８】
図４ａ〜図４ｃでは、上記に解説した収差及びマニピュレータの分類は、並行して実施される部分調節として例示的な方式に実施される。
【００７９】
図４ａ〜図４ｂは、第１の部分調節と、それと並行して実施される第２の部分調節とを示している。
【００８０】
図４ａに記載の第１の部分調節は、投影光による作動に関するレンズの加熱の結果として１ｓ以内で仕様から外れる恐れを示す収差ｂ1に対処しなければならない。一例として、５ｎｍの仕様では、この収差は、作動の開始時に即時に５ｎｍよりも大きい収差Ｚ５をもたらす非点収差ｂ1である。この点に関しては、再度図１を参照されたい。従って、この第１の部分調節では、ｔ1＝１ｓの調節時間が与えられる。図４ａでは、第１の部分調節に対して利用されるマニピュレータを太線を用いて強調表示している。これらは、低速変位マニピュレータ、設定変更、投影光の波長変更、軸外マニピュレータ、アルバレスマニピュレータの撓み、低分解能熱マニピュレータ、及びレンズ内の圧力条件変更である。図４ｂに記載の第２の部分調節は、投影光による作動に関するレンズの加熱の結果として１００ｓ以内で仕様から外れる恐れを示す収差ｂ2に対処しなければならない。一例として、５ｎｍの仕様では、この収差は、作動の開始時に即時に５ｎｍよりも大きい収差Ｚ５をもたらす非点収差ｂ1である。この点に関しては、再度図１を参照されたい。従って、この第２の部分調節では、ｔ2＝１００ｓの調節時間が与えられる。利用されるマニピュレータは、低速変位マニピュレータ、設定変更、投影光の波長変更、軸外マニピュレータ、アルバレスマニピュレータ撓み、高分解能熱マニピュレータ、レンズ内の圧力条件変更、及びレンズの絞り変更である。
【００８１】
第２の例として、今度は図４ｂ〜図４ｃは、第１の部分調節と、それと並行して実施される第２の部分調節とを示している。
【００８２】
第１の部分調節は、上述の第２の部分調節に対応し、対応する収差及び仕様に対処する。この場合に、第２の部分調節は、投影レンズ内に固定的に設けられるマニピュレータに基づいて、一般的にもはや補償することができない非常に高い波形を有する収差に対処する。一例として、この収差は、冒頭に示した投影光の入射を受けた場合のガラスのような光学材料又は層の圧密化を含む。この入射は、例えば、いわゆる自由形状設定が使用される場合の非常に局所性のものとすることができる。この点に関しては、ＷＯ０９０８０２７９Ａ１又はＭｉｚｕｎｏｉ他著「光源−マスク最適化のための照明光学系（Ｉｌｌｕｍｉｎａｔｉｏｎ  Ｏｐｔｉｃｓ  ｆｏｒ  Ｓｏｕｒｃｅ−Ｍａｓｋ  Ｏｐｔｉｍｉｚａｔｉｏｎ）」、Ｎｉｋｏｎ  Ｃｏｒｐ．、〒３６０−８５５９埼玉県熊谷市御稜威ケ原２０１−９を参照されたい。この場合に、第２の部分調節は、例えば、絞り、レンズ要素、ミラー、又は１つ又はそれよりも多くの非球面化平面板のような投影レンズの光学要素の交換又は後処理を含む。そのような交換の時点では、並行する第１の部分調節は、もはや意味をなさない。この第２の例における第１の部分調節と第２の部分調節との並行性は、低速成長収差ｂ2が図４ｃに記載の連続作動マニピュレータによって補償されるようなものであると理解しなければならない。最初に見た時には、図４ｂの太字で印刷されたマニピュレータとの相違点はないように見えるが、予め決定される調節時間は異なり、異なる収差が補償されると考えられたい。従って、例えば、設定に影響を及ぼすマニピュレータは、図４ｂに記載の部分調節において、瞳の近くの光学要素の加熱によって引き起こされる収差を比較的高い強度及び低い分解能で補償する。しかし、この同じマニピュレータは、図４ｃに記載の部分調節において、層の劣化によって引き起こされる収差に比較的低い強度及び高分解能で対処することになる。
【００８３】
図５は、ＤＥ１０２００８０４２３５６Ａ１から部分的に引用したものである。図５は、物体視野１０１を像視野１０２上に結像するためのマイクロリソグラフィのための投影露光装置１００の例示的実施形態を示している。投影装置１００はレンズ１１０を含む。物体視野に置かれ、レンズによって像平面１０２に結像される２つの視野点１０３及び１０４を例示的に示している。レンズの瞳平面の近くに置かれた絞りにより、ビーム経路の境界が定められる。
【００８４】
レンズは、レンズ要素１１１、ミラー１１２、及び平面板１１３のような光学要素を含む。レンズ要素のうちの１つに対して、レンズ要素を変位、湾曲、加熱、及び／又は冷却することができ、又は上述のように平面板を高分解能又は低分解能で局所的に加熱することができるマニピュレータ１２１が作用する。第２のマニピュレータ１２２は、ミラー１１２に対して同じ方式で作用し、第３のマニピュレータ１２３は、個々の平面板（この図には例示していない）を非球面化された更に別の個々の平面板（同じくこの図には例示していない）と交換するように機能する。これに代えて、この第３のマニピュレータは、交換可能板対１１３を有するアルバレスマニピュレータ１２３、又は絞りを変更するか又は絞り形状又は絞り直径を操作するマニピュレータとすることができる。
【００８５】
２つの視野点１０３及び１０４により、後に絞りによって制限される光ビームが放出される。この図には、この光ビームの最外側光線を破線形式で例示している。これらの最外側光線は、視野点１０３及び１０４にそれぞれ属する波面を区切る。本発明を例示する目的で、これらの波面が球面であることを仮定する。波面センサ、更に別のセンサ、及び／又は予測モデルが、決定された波面から確立される収差に関する情報を提供する決定ユニット１５０を形成する。これらの更に別のセンサは、例えば、空気圧センサ、レンズ要素上又はミラーの裏側の温度を測定するためのセンサである。
【００８６】
マニピュレータ１２１、１２２、１２３は、調整ユニット１３０によって制御することができる。調整ユニット１３０は、上限及びマニピュレータ仕様をメモリ１４０から取得し、かつ測定された収差又は波面に関する情報を決定ユニット１５０から取得するために使用することができる。ＤＥ１０２００８０４２３５６Ａ１とは対照的に、調整ユニット１３０は、それぞれ第１及び第２の部分調節を調整又は制御する第１の調節ユニット１３２及び第２の調節ユニット１３３と、決定された収差の比較的低速な収差と比較的高速な収差への再分割に関する情報を提供し、かつ第１の部分調節に対して使用すべき比較的低速なマニピュレータと第２の部分調節に対して使用すべき比較的高速なマニピュレータとに関する情報を含むルックアップテーブル１３１とを含む。
【００８７】
図６は、並行する第１の部分調節及び第２の部分調節の原理を示している。
【００８８】
第１の段階２０１において、波面誤差又は収差が決定ユニット１５０によって確立される。次いで、第２の段階２０２において、これらの波面誤差又は収差は、ルックアップテーブル１３１を用いて、それぞれ互いに相対的な高速変化収差ｂ1及び低速変化収差ｂ2という２つのクラスに再分割される。それと並行して、マニピュレータは、同じく１３１で表す更に別のルックアップテーブルに従って比較的低速なマニピュレータのクラスと比較的高速なマニピュレータのクラスとに再分割される。次の段階２０３と２０４は並行して実施され、段階２０３は、比較的高速に変化する収差ｂ1が比較的高速なマニピュレータによって調節される第１の部分調節を表し、段階２０４は、比較的低速に変化する収差ｂ2が比較的低速なマニピュレータによって調節される第２の部分調節を表している。この場合に、段階２０３は繰り返し実施され、各通し実行の後に、追加の段階２０５において、高速変化収差が決定ユニット１５０によって測定し直されるか、又は密に分配された第１の調節時間ｔ1の理由から決定ユニット１５０によって予測される。一例として、この予測は、自動的に較正されたモデルによって達成することができる。
【００８９】
第２の部分調節が、第２の調節時間ｔ2の後に完了した状態で、段階２０１〜２０５の全体を繰り返し同じく実施することができる。
【符号の説明】
【００９０】
２０１  収差を確立する段階
２０２  収差を再分割する段階
２０３  第１の部分調節段階
２０４  第２の部分調節段階
２０５  高速変化収差を測定し直す又は予測する段階
【図１】
0006016316.tif 000006
【図２】
0006016316.tif 000007
【図３ａ】
0006016316.tif 000008
【図３ｂ】
0006016316.tif 000009
【図３ｃ】
0006016316.tif 000010
【図３ｄ】
0006016316.tif 000011
【図４ａ−ｃ】
0006016316.tif 000012
【図５】
0006016316.tif 000013
【図６】
0006016316.tif 000014